(57)【要約】【課題】冷媒自然循環方式の冷却システムにおける蒸発器の冷媒流量をバルブ制御しても、冷媒の自然循環を安定に維持することができると共に蒸発器表面の結露発生を防止できる。【解決手段】サーバ１４からの排熱空気との熱交換によって冷媒を気化させると共に該排熱空気を冷却する蒸発器２０Ｘ，２０Ｙと、蒸発器２０Ｘ，２０Ｙよりも高所に配置され、気化された冷媒を液化させる冷却塔２２との間に、冷媒を自然循環させると共に、蒸発器２０Ｘ，２０Ｙで熱交換されて冷却された後の空気温度がサーバ１４の動作環境に適した温度になるように蒸発器２０Ｘ，２０Ｙに供給する冷媒液体の流量をバルブ制御する電子機器の冷却方法において、蒸発器２０Ｘ，２０Ｙに供給する冷媒液体の流量をバルブ制御しても、冷却塔２２での冷媒ガスの凝縮温度又は凝縮圧力が変動しないようにした。【選択図】  図１
2011171499.tif 000002
【特許請求の範囲】
【請求項１】
電子機器からの排熱空気との熱交換によって冷媒を気化させると共に該排熱空気を冷却する蒸発器と、前記蒸発器よりも高所に配置され、前記気化された冷媒を液化させる冷却塔又は凝縮器との間に、前記冷媒を自然循環させると共に、前記蒸発器で熱交換されて冷却された後の空気温度が前記電子機器の動作環境に適した温度になるように前記蒸発器に供給する冷媒液体の流量をバルブ制御する電子機器の冷却方法において、
前記蒸発器に供給する冷媒液体の流量をバルブ制御しても、前記冷却塔又は凝縮器での冷媒ガスの凝縮温度又は凝縮圧力が変動しないようにしたことを特徴とする電子機器の冷却方法。
【請求項２】
電子機器からの排熱空気との熱交換によって冷媒を気化させると共に該排熱空気を冷却する蒸発器と、前記蒸発器よりも高所に配置され、前記気化された冷媒を液化させる冷却塔との間に、前記冷媒を自然循環させると共に、前記蒸発器で熱交換されて冷却された後の空気温度が前記電子機器の動作環境に適した温度になるように前記蒸発器に供給する冷媒液体の流量をバルブ制御する電子機器の冷却システムにおいて、
前記冷却塔は、
外気の取込口と排気口とが形成された冷却塔本体と、
前記冷却塔本体内に設けられ、入口が前記蒸発器から戻る冷媒ガスが流れるガス配管に接続し、出口が前記蒸発器に供給する冷媒液体が流れる液配管に接続する熱交換コイルと、
前記熱交換コイルに散水する散水機と、
前記取込口から外気を取り込んで前記熱交換コイルに送風すると共に前記排気口から排気させる送風機と、
前記送風機の送風量を調整する送風量調整手段と、
前記熱交換コイル出口の冷媒液体温度を測定する冷媒液体温度センサと、
前記冷媒液体温度センサの測定温度に基づいて前記送風量調整手段を制御するコントローラと、を備え、
前記コントローラは、前記冷媒液体温度センサの測定温度が、前記蒸発器側のバルブ制御に起因する前記蒸発器の蒸発温度変動に連動して変動せずに所定温度に維持されるように、前記送風機の送風量を前記送風量調整手段によって制御することを特徴とする電子機器の冷却システム。
【請求項３】
前記冷媒液体温度センサを冷媒液体圧力センサに代えると共に、前記コントローラは、前記冷媒液体圧力センサの測定圧力が、前記蒸発器側のバルブ制御に起因する前記蒸発器の蒸発温度変動に連動して変動せずに所定圧力に維持されるように、前記送風機の送風量を前記送風量調整手段によって制御することを特徴とする請求項２の電子機器の冷却システム。
【請求項４】
電子機器からの排熱空気との熱交換によって冷媒を気化させると共に該排熱空気を冷却する蒸発器と、前記蒸発器よりも高所に配置され、前記気化された冷媒を液化させる冷却塔との間に、前記冷媒を自然循環させると共に、前記蒸発器で熱交換されて冷却された後の空気温度が前記電子機器の動作環境に適した温度になるように前記蒸発器に供給する冷媒液体の流量をバルブ制御する電子機器の冷却システムにおいて、
前記冷却塔は、
外気の取込口と排気口とが形成された冷却塔本体と、
前記冷却塔本体内に設けられ、入口が前記蒸発器から戻る冷媒ガスが流れるガス配管に接続し、出口が前記蒸発器に供給する冷媒液体が流れる液配管に接続する熱交換コイルと、
前記熱交換コイルに散水する散水機と、
前記取込口から外気を取り込んで前記熱交換コイルに送風すると共に前記排気口から排気させる送風機と、
前記熱交換コイル出口の冷媒液体温度を測定する冷媒液体温度センサと、
前記排気口から排気される排気外気の一部を前記取込口近傍に戻して前記取込口からの取込み外気と混合させる循環ダクトと、
前記循環ダクトを流れる排気外気の風量を調節する循環風量調節手段と、
前記冷媒液体温度センサの測定温度に基づいて前記循環風量調整手段を制御するコントローラと、を備え、
前記コントローラは、前記冷媒液体温度センサの測定温度が、前記蒸発器側のバルブ制御に起因する前記蒸発器の蒸発温度変動に連動して変動せずに所定温度に維持されるように、前記循環ダクトを流れる排気外気の循環風量を前記循環風量調整手段によって制御することを特徴とする電子機器の冷却システム。
【請求項５】
前記冷媒液体温度センサを冷媒液体圧力センサに代えると共に、前記コントローラは、前記冷媒液体圧力センサの測定圧力が、前記蒸発器側のバルブ制御に起因する前記蒸発器の蒸発温度変動に連動して変動せずに所定圧力に維持されるように、前記循環ダクトを流れる排気外気の循環風量を前記循環風量調整手段によって制御することを特徴とする請求項４の電子機器の冷却システム。
【請求項６】
電子機器からの排熱空気との熱交換によって冷媒を気化させると共に該排熱空気を冷却する蒸発器と、前記蒸発器よりも高所に配置され、前記気化された冷媒を液化させる冷水型凝縮器との間に、前記冷媒を自然循環させると共に、前記蒸発器で熱交換されて冷却された後の空気温度が前記電子機器の動作環境に適した温度になるように前記蒸発器に供給する冷媒液体の流量をバルブ制御する電子機器の冷却システムにおいて、
前記冷水型凝縮器は、
入口が前記蒸発器から戻る冷媒ガスが流れるガス配管に接続され、出口が前記蒸発器に供給する冷媒液体が流れる液配管に接続されると共に、前記冷水型凝縮器に冷水供給配管を介して供給される冷水によって前記冷媒ガスを前記冷媒液体に凝縮するための冷熱を得る凝縮器であって、
前記冷水供給配管に設けられ、前記冷水型凝縮器に供給する冷水流量を調整する冷水量調整手段と、
前記冷水型凝縮器出口の冷媒液体温度を測定する冷媒液体温度センサと、
前記冷媒液体温度センサの測定温度に基づいて前記冷水量調整手段を制御するコントローラと、を備え、
前記コントローラは、前記冷媒液体温度センサの測定温度が、前記蒸発器側のバルブ制御に起因する前記蒸発器の蒸発温度変動に連動して変動せずに所定温度に維持されるように、前記冷水型凝縮器に供給する冷水流量を前記冷水量調整手段によって制御することを特徴とする電子機器の冷却システム。
【請求項７】
前記冷媒液体温度センサを冷媒液体圧力センサに代えると共に、前記コントローラは、前記冷媒液体圧力センサの測定圧力が、前記蒸発器側のバルブ制御に起因する前記蒸発器の蒸発温度変動に連動して変動せずに所定圧力に維持されるように、前記冷水供給流路の冷水流量を前記冷水量調整手段によって制御することを特徴とする請求項６の電子機器の冷却システム。
【発明の詳細な説明】
【技術分野】
【０００１】
本発明は電子機器の冷却方法及び冷却システムに係り、特に、サーバルームに配設されたコンピュータやサーバ等の電子機器を、蒸発器と冷却塔（又は凝縮器）との間で冷媒を自然循環させることにより局所的に冷却するための電子機器の冷却方法及び冷却システムに関する。
【背景技術】
【０００２】
サーバルームには、コンピュータやサーバ等の電子機器が集約された状態で多数設置される。電子機器は一般にラックマウント方式、すなわち、電子機器を機能単位別に分割して収納するラック（筐体）をキャビネットに段積みする方式で設置され、キャビネットはサーバルームの床上に多数整列配置される。
【０００３】
これらの電子機器は、正常な動作をするために一定の温度環境が必要とされ、高温状態になるとシステム停止等のトラブルを引き起こすおそれがある。このため、サーバルームは空調機によって一定の温度環境に管理されている。しかし、近年では、電子機器の処理速度や処理能力の急激な上昇に伴い、電子機器からの発熱量が上昇の一途をたどっており、空調機のランニングコストも大幅に増加している。
【０００４】
このような背景から、電子機器を効率的に冷却するための様々な技術が提案されている。たとえば特許文献１には、電子機器を通る閉ループ流を形成し、この閉ループ流を熱交換器で冷却することによって、電子機器を局所的に冷却する方法が提案されている。
【０００５】
また、パッケージ空調機を用いた床吹き出し空調でサーバルームを冷却する方法も行われているが、電子機器からの排熱による局所的な温度上昇を抑制するためにサーバルーム内全体を空調することになるので、冷却効率が悪いという問題がある。そのため、空調動力のうち熱搬送に要する送風動力の占める割合が大きい。したがって、熱搬送動力を如何に低減するかの手法が省エネ対策にとっては重要となる。
【０００６】
そこで、特許文献２に示すような冷媒の自然循環方式を用いた冷却システムが提案されている。特許文献２では、各蒸発器が個別の熱負荷に対応できるように蒸発器ごとに流量調整バルブを設け、蒸発器に供給される冷媒液体の供給量をバルブ制御し、蒸発器の能力を個別に調整することで省エネを図ることが提案されている。このように、蒸発器に供給される冷媒液体の供給量をバルブ制御することにより、サーバからの高温な排熱空気は蒸発器で適切に冷却されてサーバルームに放出させることができる。これによりサーバルームが設定温度条件に制御される。
【先行技術文献】
【特許文献】
【０００７】
【特許文献１】特表２００６−５０７６７６号公報
【特許文献２】特開平１−１２１６４１号公報
【発明の概要】
【発明が解決しようとする課題】
【０００８】
しかしながら、バルブ制御は、冷媒が流れる配管の配管抵抗を変化させることによって冷媒流量を調整するメカニズムであるため、配管抵抗が冷却システムの運転状態を大きく左右する冷媒自然循環方式では、バルブ制御によって蒸発温度の変動を招くという問題がある。例えば、バルブ制御により蒸発器内部の蒸発圧力が低下し、必要以上に蒸発温度の低下を招いて蒸発器出口温度の大幅な低下を生じることがある。この蒸発器出口温度の大幅な低下によって蒸発器表面に結露が発生する虞がある。蒸発器表面に結露が発生すると、結露水が電子機器に悪影響を与え信頼性が低下するだけでなく、結露防止のためのエネルギーロスが発生するという問題がある。
【０００９】
更には、蒸発器と冷却塔（又は凝縮器）との間に冷媒を自然循環させる場合、低圧力側の冷媒凝縮側（冷却塔又は凝縮器側）と高圧力側の冷媒蒸発側（蒸発器側）との圧力差を適切に維持することが自然循環を安定化させる上で重要であり、凝縮圧力及び蒸発圧力は凝縮温度及び蒸発温度に連動している。
【００１０】
したがって、蒸発温度が変動すると蒸発圧力も変動するので、冷媒の自然循環が安定しなくなるという問題が生じる。
【００１１】
本発明はこのような事情に鑑みてなされたものであり、冷媒自然循環方式の冷却システムにおける蒸発器の冷媒流量をバルブ制御しても、冷媒の自然循環を安定に維持することができると共に蒸発器表面の結露発生を防止できる電子機器の冷却方法及び冷却システムを提供することを目的とする。
【課題を解決するための手段】
【００１２】
請求項１に記載の発明は前記目的を達成するために、電子機器からの排熱空気との熱交換によって冷媒を気化させると共に該排熱空気を冷却する蒸発器と、前記蒸発器よりも高所に配置され、前記気化された冷媒を液化させる冷却塔又は凝縮器との間に、前記冷媒を自然循環させると共に、前記蒸発器で熱交換されて冷却された後の空気温度が前記電子機器の動作環境に適した温度になるように前記蒸発器に供給する冷媒液体の流量をバルブ制御する電子機器の冷却方法において、前記蒸発器に供給する冷媒液体の流量をバルブ制御しても、前記冷却塔又は凝縮器での冷媒ガスの凝縮温度又は凝縮圧力が変動しないようにしたことを特徴とする電子機器の冷却方法を提供する。
【００１３】
本発明の請求項１によれば、蒸発器に供給する冷媒液体の流量をバルブ制御しても、冷却システムの低圧力側である冷却塔又は凝縮器での冷媒ガスの凝縮温度又は凝縮圧力が変動しないようにした。このように、蒸発器側でのバルブ制御に並行して、冷却塔側又は凝縮器側の凝縮温度又は凝縮圧力が変動しないように制御することで、蒸発器側の蒸発圧力の変動が抑制される。これにより、冷媒の自然循環を安定に維持することができると共に蒸発器表面の結露発生を防止することができる。
【００１４】
冷媒自然循環方式における蒸発器内部の蒸発圧力は、凝縮器での凝縮圧力と、蒸発器と凝縮器との高低差とにより支配されます。即ち、蒸発器内部圧力＝凝縮圧力＋ヘッド差圧）となる。これにより、蒸発器内部圧力はヘッド差圧が一定であれば、凝縮圧力の変動により変動することになる。したがって、蒸発器に供給する冷媒液体の流量をバルブ制御しても、冷却システムの低圧力側である冷却塔又は凝縮器での冷媒ガスの凝縮圧力が変動しないようにすることで、冷媒の自然循環を安定に維持することができる。また、凝縮温度は凝縮圧力と連動するので、凝縮温度が変動しないようにすることで、冷媒の自然循環を安定に維持することができる。
【００１５】
また、蒸発器は凝縮器よりも下方に配置されているので、蒸発器内部圧力は凝縮圧力よりも必ず高い値になる。これにより、凝縮器内部圧力を室内の露点温度より冷媒飽和温度に設定すれば、蒸発器の蒸発温度は必ず室内空気の露点温度以上になる。したがって、蒸発器表面の結露発生を防止することができる。
【００１６】
請求項２に記載の発明は前記目的を達成するために、電子機器からの排熱空気との熱交換によって冷媒を気化させると共に該排熱空気を冷却する蒸発器と、前記蒸発器よりも高所に配置され、前記気化された冷媒を液化させる冷却塔との間に、前記冷媒を自然循環させると共に、前記蒸発器で熱交換されて冷却された後の空気温度が前記電子機器の動作環境に適した温度になるように前記蒸発器に供給する冷媒液体の流量をバルブ制御する電子機器の冷却システムにおいて、前記冷却塔は、外気の取込口と排気口とが形成された冷却塔本体と、前記冷却塔本体内に設けられ、入口が前記蒸発器から戻る冷媒ガスが流れるガス配管に接続し、出口が前記蒸発器に供給する冷媒液体が流れる液配管に接続する熱交換コイルと、前記熱交換コイルに散水する散水機と、前記取込口から外気を取り込んで前記熱交換コイルに送風すると共に前記排気口から排気させる送風機と、前記送風機の送風量を調整する送風量調整手段と、前記熱交換コイル出口の冷媒液体温度を測定する冷媒液体温度センサと、前記冷媒液体温度センサの測定温度に基づいて前記送風量調整手段を制御するコントローラと、を備え、前記コントローラは、前記冷媒液体温度センサの測定温度が、前記蒸発器側のバルブ制御に起因する前記蒸発器の蒸発温度変動に連動して変動せずに所定温度に維持されるように、前記送風機の送風量を前記送風量調整手段によって制御することを特徴とする電子機器の冷却システムを提供する。
【００１７】
請求項２は、蒸発器に供給する冷媒液体の流量をバルブ制御しても、冷却塔又は凝縮器での冷媒ガスの凝縮温度が変動しないようにするための具体的な装置構成を示したものである。
【００１８】
請求項２の発明によれば、蒸発器へ供給される冷媒液体の供給量をバルブ制御することによって蒸発器の蒸発温度が変動しても、コントローラは、冷却システムの低圧力側である冷却塔における熱交換コイルを冷却する送風機の送風量を制御することで、冷却塔の熱交換コイル出口の冷媒液体温度が変動せずに所定温度に維持されるようにした。
【００１９】
これにより、冷媒自然循環方式の冷却システムにおける蒸発器の冷媒流量をバルブ制御しても、冷媒の自然循環を安定に維持することができると共に蒸発器表面の結露発生を防止できる。
【００２０】
請求項３は請求項２において、前記冷媒液体温度センサを冷媒液体圧力センサに代えると共に、前記コントローラは、前記冷媒液体圧力センサの測定圧力が、前記蒸発器側のバルブ制御に起因する前記蒸発器の蒸発温度変動に連動して変動せずに所定圧力に維持されるように、前記送風機の送風量を前記送風量調整手段によって制御することを特徴とする。
【００２１】
請求項３は、熱交換コイル出口の冷媒液体温度に代えて、熱交換コイル出口の凝縮圧力が所定圧力になるように制御するようにしたものである。
【００２２】
請求項４に記載の発明は前記目的を達成するために、電子機器からの排熱空気との熱交換によって冷媒を気化させると共に該排熱空気を冷却する蒸発器と、前記蒸発器よりも高所に配置され、前記気化された冷媒を液化させる冷却塔との間に、前記冷媒を自然循環させると共に、前記蒸発器で熱交換されて冷却された後の空気温度が前記電子機器の動作環境に適した温度になるように前記蒸発器に供給する冷媒液体の流量をバルブ制御する電子機器の冷却システムにおいて、前記冷却塔は、外気の取込口と排気口とが形成された冷却塔本体と、前記冷却塔本体内に設けられ、入口が前記蒸発器から戻る冷媒ガスが流れるガス配管に接続し、出口が前記蒸発器に供給する冷媒液体が流れる液配管に接続する熱交換コイルと、前記熱交換コイルに散水する散水機と、前記取込口から外気を取り込んで前記熱交換コイルに送風すると共に前記排気口から排気させる送風機と、前記熱交換コイル出口の冷媒液体温度を測定する冷媒液体温度センサと、前記排気口から排気される排気外気の一部を前記取込口近傍に戻して前記取込口からの取込み外気と混合させる循環ダクトと、前記循環ダクトを流れる排気外気の風量を調節する循環風量調節手段と、前記冷媒液体温度センサの測定温度に基づいて前記循環風量調整手段を制御するコントローラと、を備え、  前記コントローラは、前記冷媒液体温度センサの測定温度が、前記蒸発器側のバルブ制御に起因する前記蒸発器の蒸発温度変動に連動して変動せずに所定温度に維持されるように、前記循環ダクトを流れる排気外気の循環風量を前記循環風量調整手段によって制御することを特徴とする電子機器の冷却システムを提供する。
【００２３】
請求項４は、蒸発器に供給する冷媒液体の流量をバルブ制御しても、冷却塔での冷媒ガスの凝縮温度が変動しないようにするための具体的な装置構成を示した別態様である。
【００２４】
請求項４の発明によれば、蒸発器へ供給される冷媒液体の供給量をバルブ制御することによって蒸発器の蒸発温度が変動しても、コントローラは、循環ダクトを循環する排出外気の循環風量を制御することで、冷却塔の熱交換コイル出口の冷媒液体温度が前記変動に連動して変動せずに所定温度に維持されるようにした。即ち、循環ダクトを設けることで、熱交換コイルでの熱交換で温度上昇した排出外気の一部が冷却塔本体の取込口近傍に戻され、取込口から取り込まれた取込み外気と混合する。これにより、熱交換コイルに送風する送風温度が変わる。また、循環ダクトの循環風量を調整することで、送風温度を調整できる。これにより、冷却システムの低圧力側である冷却塔での凝縮温度を所定温度に一定に維持できる。
【００２５】
したがって、冷媒自然循環方式の冷却システムにおける蒸発器の冷媒流量をバルブ制御しても、冷媒の自然循環を安定に維持することができると共に蒸発器表面の結露発生を防止できる。
【００２６】
請求項５は請求項４において、前記冷媒液体温度センサを冷媒液体圧力センサに代えると共に、前記コントローラは、前記冷媒液体圧力センサの測定圧力が、前記蒸発器側のバルブ制御に起因する前記蒸発器の蒸発温度変動に連動して変動せずに所定圧力に維持されるように、前記循環ダクトを流れる排気外気の循環風量を前記循環風量調整手段によって制御することを特徴とする。
【００２７】
請求項５は、熱交換コイル出口の冷媒液体温度に代えて、熱交換コイル出口の凝縮圧力が所定圧力になるように制御するようにしたものである。
【００２８】
請求項６に記載の発明は前記目的を達成するために、電子機器からの排熱空気との熱交換によって冷媒を気化させると共に該排熱空気を冷却する蒸発器と、前記蒸発器よりも高所に配置され、前記気化された冷媒を液化させる冷水型凝縮器との間に、前記冷媒を自然循環させると共に、前記蒸発器で熱交換されて冷却された後の空気温度が前記電子機器の動作環境に適した温度になるように前記蒸発器に供給する冷媒液体の流量をバルブ制御する電子機器の冷却システムにおいて、前記冷水型凝縮器は、入口が前記蒸発器から戻る冷媒ガスが流れるガス配管に接続され、出口が前記蒸発器に供給する冷媒液体が流れる液配管に接続されると共に、前記冷水型凝縮器に冷水供給配管を介して供給される冷水によって前記冷媒ガスを前記冷媒液体に凝縮するための冷熱を得る凝縮器であって、前記冷水供給配管に設けられ、前記冷水型凝縮器に供給する冷水流量を調整する冷水量調整手段と、前記冷水型凝縮器出口の冷媒液体温度を測定する冷媒液体温度センサと、前記冷媒液体温度センサの測定温度に基づいて前記冷水量調整手段を制御するコントローラと、を備え、前記コントローラは、前記冷媒液体温度センサの測定温度が、前記蒸発器側のバルブ制御に起因する前記蒸発器の蒸発温度変動に連動して変動せずに所定温度に維持されるように、前記冷水型凝縮器に供給する冷水流量を前記冷水量調整手段によって制御することを特徴とする電子機器の冷却システムを提供する。
【００２９】
請求項６は、蒸発器に供給する冷媒液体の流量をバルブ制御しても、冷水型凝縮器での冷媒ガスの凝縮温度が変動しないようにするための具体的な装置構成を示した更に別の態様である。
【００３０】
請求項６の発明によれば、蒸発器へ供給される冷媒液体の供給量をバルブ制御することによって蒸発器の蒸発温度が変動しても、コントローラは、冷却システムの低圧力側である冷水型凝縮器に冷水を供給する冷水流量を制御することで、冷水型凝縮器出口の冷媒液体温度が前記変動に連動して変動しないようにした。
【００３１】
したがって、冷媒自然循環方式の冷却システムにおける蒸発器の冷媒流量をバルブ制御しても、冷媒の自然循環を安定に維持することができると共に蒸発器表面の結露発生を防止できる。
【００３２】
請求項７は請求項６において、前記冷媒液体温度センサを冷媒液体圧力センサに代えると共に、前記コントローラは、前記冷媒液体圧力センサの測定圧力が、前記蒸発器側のバルブ制御に起因する前記蒸発器の蒸発温度変動に連動して変動せずに所定圧力に維持されるように、前記冷水供給流路の冷水流量を前記冷水量調整手段によって制御することを特徴とする。
【００３３】
請求項７は、冷水型凝縮器出口の冷媒液体温度に代えて、冷水型凝縮器出口の凝縮圧力が所定圧力になるように制御するようにしたものである。
【発明の効果】
【００３４】
以上説明したように本発明の電子機器の冷却方法及び冷却システムによれば、冷媒自然循環方式の冷却システムにおける蒸発器の冷媒流量をバルブ制御しても、冷媒の自然循環を安定に維持することができると共に蒸発器表面の結露発生を防止できる。
【図面の簡単な説明】
【００３５】
【図１】本発明の電気機器の冷却システムの第１の実施の形態の全体構成を説明する概念図
【図２】本発明の電気機器の冷却システムの第２の実施の形態の全体構成を説明する概念図
【図３】循環ダクト型冷却塔の構造を説明する説明図
【図４】本発明の電気機器の冷却システムの第３の実施の形態の全体構成を説明する概念図
【発明を実施するための形態】
【００３６】
以下、添付図面に従って本発明に係る電子機器の冷却方法及び冷却システムの好ましい実施の形態について詳説する。
【００３７】
本実施の形態では、電子機器としてサーバルームに配置されたサーバの例で説明する。
【００３８】
［本発明の第１の実施の形態］
図１は、電子機器の冷却システム１０の第１の実施の形態の全体構成を示す概念図である。
【００３９】
同図に示す冷却システム１０は、上下２階のサーバルーム１２Ｘ、１２Ｙに設けられたサーバ１４の近傍を局所的に冷却するシステムである。尚、以下の説明で符号に付すＸは下層階の冷却システムに係わる部材であり、Ｙは上層階の冷却システムに係わる部材である。また、図１では、各サーバルーム１２Ｘ、１２Ｙに、１台のサーバ１４を図示しているが、実際には、多数のサーバ１４が配置されている。更に、サーバ１４は通常、サーバラック（図示せず）に段積み収納されることによって、サーバルーム１２Ｘ、１２Ｙ内に設置される。
【００４０】
サーバ１４は、エアの吸引口１４Ａ及び排気口１４Ｂを備えるとともに、内部にファン１４Ｃを備え、このファン１４Ｃを駆動することによって、吸引口１４Ａからエアが吸引され、排気口１４Ｂからサーバ１４の排熱を伴った排熱空気が排気される。これにより、サーバ１４を冷却することができる。一方、排熱空気をそのままサーバルーム１２Ｘ、１２Ｙに排気すると、サーバルーム１２Ｘ、１２Ｙの室温が上昇し、サーバ１４に吸い込む空気温度が高くなってしまう。したがって、排熱空気を蒸発器２０Ｘ、２０Ｙで冷却してからサーバルーム１２Ｘ、１２Ｙに排気する必要がある。
【００４１】
各サーバルーム１２Ｘ、１２Ｙの床面１３の下には床下チャンバ１８Ｘ、１８Ｙが形成されており、床面１３に形成された複数の吹出口（不図示）を介して床下チャンバ１８Ｘ、１８Ｙとサーバルーム１２Ｘ、１２Ｙが連通される。床下チャンバ１８Ｘ、１８Ｙには、パッケージ空調機等（不図示）で冷却された空調エアが給気され、この空調エアが吹出口からサーバルーム１２Ｘ、１２Ｙに吹き出される。尚、吹出口は、サーバ１４の吸引口１４Ａの近傍に形成されており、この空調エアがサーバ１４に吸引されることによって、サーバ１４を効率よく冷却することができる。
【００４２】
更に、サーバ１４は、冷却システム１０によって局所的に冷却される。
【００４３】
冷却システム１０は、主として蒸発器２０Ｘ、２０Ｙ、凝縮器としての冷却塔２２、冷媒液体が流れる液配管２４、冷媒ガスが流れるガス配管２６からなる冷媒の自然循環サイクルを構成する。
【００４４】
蒸発器２０Ｘ、２０Ｙはそれぞれ、サーバ排気口１４Ｂの近傍に設けられ、蒸発器２０Ｘ、２０Ｙの内部には不図示のコイルが設けられる。このコイルの外側を、サーバ排気口１４Ｂから排出された排熱空気が流れ、コイルの内側を冷媒液体が流れて熱交換される。この結果、コイル内の冷媒液体が排熱空気から気化熱を奪って蒸発するので、サーバルーム１２Ｘ、１２Ｙに排気される排気空気が冷却される。これにより、吹出口からサーバルーム１２Ｘ、１２Ｙに吹き出される空調エアと相まって、サーバルーム１２Ｘ、１２Ｙの温度環境を、サーバ１４が正常に動作をするために必要な温度環境に設定できる。
【００４５】
冷却塔２２は、蒸発器２０Ｘ、２０Ｙで気化した冷媒ガスを冷却して凝縮させる装置であり、蒸発器２０Ｘ、２０Ｙよりも高い位置、例えばサーバルーム１２の建屋屋上等に設置される。
【００４６】
蒸発器２０Ｘ、２０Ｙと冷却塔２２は、液配管２４（分岐管２４Ｘ、２４Ｙを含む）とガス配管２６（分岐管２６Ｘ、２６Ｙを含む）によって接続される。ガス配管２６の上端は冷却塔２２内の熱交換コイル２８の入口に接続されており、ガス配管２６の下端は、分岐管２６Ｘ、２６Ｙに分岐され、その分岐管２６Ｘ、２６Ｙが蒸発器２０Ｘ、２０Ｙのコイル（不図示）の一端に接続されている。一方、液配管２４の上端は、冷却塔２２内の熱交換コイル２８の出口に接続されており、液配管２４の下端は、分岐管２４Ｘ、２４Ｙに分岐され、その分岐管２４Ｘ、２４Ｙが蒸発器２０Ｘ、２０Ｙのコイル（不図示）の他端に接続されている。したがって、蒸発器２０Ｘ、２０Ｙで気化された冷媒ガスはガス配管２６を上昇して冷却塔２２に自然に送られ、この冷却塔２２で液化された後、液化された冷媒は液配管２４を流下して蒸発器２０Ｘ、２０Ｙに自然に送られる。これにより、冷媒の自然循環が行われる。
【００４７】
循環する冷媒としては、フロン、あるいは代替フロンとしてのＨＦＣ（ハイドロフロロカーボン）等を使用することができる。また、大気圧よりも低い圧力で使用するならば、水を使用することも可能である。
【００４８】
そして、蒸発器２０Ｘ、２０Ｙに供給される冷媒液体の供給量を制御することにより、サーバ１４から排気された高温空気を蒸発器２０Ｘ、２０Ｙで冷却した後の空気温度（サーバ１４から蒸発器２０Ｘ、２０Ｙを介してサーバルーム１２Ｘ，１２Ｙに排気される排気空気の温度）を冷却し、サーバルーム１２Ｘ，１２Ｙをサーバ１４に適した温度環境に維持する。すなわち、各蒸発器２０Ｘ、２０Ｙからサーバルーム１２Ｘ，１２Ｙに排気される排気空気２１の出口近傍には、温度センサ２３Ｘ，２３Ｙが設けられると共に、液配管２４の分岐管２４Ｘ、２４Ｙには、冷媒液体の流量を調整する流量調整バルブ２５Ｘ，２５Ｙが設けられる。そして、温度センサ２３Ｘ，２３Ｙで測定された測定温度はコントローラ１７に入力され、コントローラ１７は測定温度に基づいて流量調整バルブ２５Ｘ，２５Ｙの開度をそれぞれ個別に制御する。これにより、上層階と下層階の高さの異なる蒸発器２０Ｘ、２０Ｙに対して排気空気温度が同じになるための適切な冷媒流量を供給することができる。この結果、サーバ１４から蒸発器２０Ｘ、２０Ｙを介してサーバルーム１２Ｘ，１２Ｙに排気される排気温度をサーバ１４の運転に適した温度環境に調整することができる。
【００４９】
次に、冷却塔２２について説明する。
【００５０】
図１に示すように、冷却塔２２は、冷却塔本体（ケーシング）３０が横型に配設され、冷却塔本体３０の一端側に外気を取り込む取込口３０Ａが形成され、他端側に外気の排気口３０Ｂが形成される。冷却塔本体３０内には熱交換コイル２８が設けられ、熱交換コイル２８の入口が蒸発器２０Ｘ，２０Ｙから戻る冷媒ガスが流れるガス配管２６に接続し、熱交換コイル２８の出口が蒸発器２０Ｘ，２０Ｙに供給する冷媒液体が流れる液配管２４に接続する。
【００５１】
また、熱交換コイル２８の取込口３０Ａ側には散水機３４が設けられると共に、散水機３４の更に取込口３０Ａ側には送風ファン３６が設けられる。そして、送風ファン３６によって冷却塔本体３０の取込口３０Ａから取り込まれた取込み外気Ｘを熱交換コイル２８に送風すると共に、散水機３４から熱交換コイル２８に散水する。これにより、熱交換コイル２８を流れる冷媒ガスが外気や散水により冷却されて凝縮し、冷媒液体に液化される。一方、冷却塔本体３０内に取り込まれた取込み外気Ｘは、熱交換コイル２８を流れる冷媒ガスから熱を奪って温度が上昇し、排気口３０Ｂから排気外気Ｙとして排出される。
【００５２】
また、冷却塔２２には、熱交換コイル２８出口の冷媒液体の温度を所定値に一定に維持するための制御機構４２が設けられる。
【００５３】
制御機構４２は、熱交換コイル２８出口における冷媒液体の温度を測定する冷媒液体温度センサ４４と、送風ファン３６の回転数を変えることにより、送風ファン３６から熱交換コイル２８に送風する送風量を調整する送風量調整手段３６Ａと、冷媒液体温度センサ４４の測定温度に基づいて送風量調整手段３６Ａを制御するコントローラ４６とで構成される。なお、コントローラ４６は、コントローラ１７を兼用してもよく、図１のように、冷却塔２２のためのコントローラ４６を別途設けてもよい。本実施の形態では、別途設けた場合で説明する。
【００５４】
次に、上記のごとく構成された電子機器の冷却システム１０の作用について説明する。
【００５５】
蒸発器２０Ｘ，２０Ｙで冷媒液体が気化することにより、サーバ１４からの高温な排熱空気を冷却する。一方、冷却塔２２では蒸発器２０Ｘ，２０Ｙからの冷媒ガスを冷却して凝縮することにより液化し、液化した冷媒液体が重力により蒸発器２０Ｘ，２０Ｙに流下する。これにより、冷媒の自然循環が形成される。そして、コントローラ１７は、温度センサ２３Ｘ，２３Ｙで測定される空気温度、即ちサーバ１４からの排熱空気を蒸発器２０Ｘ，２０Ｙで冷却した後の空気温度をモニタリングし、空気温度がサーバ１４の動作環境に適した温度になるように流量調整バルブ２５Ｘ，２５Ｙを制御して液配管を流れる冷媒ガスの流量を調整する。このバルブ制御によって、蒸発器２０Ｘ，２０Ｙで冷却した後の空気温度は適切に制御される。
【００５６】
しかし、バルブ制御は液配管の抵抗を調整する操作であるため、蒸発器２０Ｘ，２０Ｙ内部の蒸発圧力が変動する。この蒸発圧力の変動により、冷媒の自然循環が不安定になると共に、必要以上に蒸発温度の低下を招いて蒸発器２０Ｘ，２０Ｙ出口の冷媒ガス温度の大幅な低下を生じる問題がある。また、蒸発温度の低下にともない蒸発器２０Ｘ，２０Ｙの表面に結露が発生し、精密機器であるサーバ１４への悪影響が懸念される。
【００５７】
そこで、本発明では、蒸発器２０Ｘ，２０Ｙに供給する冷媒液体の流量を流量調整バルブ２５Ｘ，２５Ｙでバルブ制御しても、冷却塔２２での冷媒ガスの凝縮温度が変動しないようにした。
【００５８】
即ち、コントローラ４６は、熱交換コイル２８出口の冷媒液体温度センサ４４で測定された凝縮温度が所定温度に対して変動しているかをモニタリングする。ここで、所定温度とは、例えば冷媒が安定に自然循環するために必要な凝縮温度とすることができる。
【００５９】
そして、測定温度が所定温度に対して変動している場合、コントローラ４６は、冷却塔２２の送風量調整手段３６Ａを制御して送風ファン３６の回転数を変え、冷媒液体温度センサ４４の測定温度が所定温度になるように熱交換コイル２８を冷却する送風量を調整する。
【００６０】
このように、蒸発器２０Ｘ，２０Ｙ側でのバルブ制御に並行して、冷却塔２２側の凝縮温度が変動しないように制御することで、蒸発器２０Ｘ，２０Ｙ側の蒸発圧力の変動が抑制される。即ち、冷却塔２２側の温度変動がなくなることで、冷媒の自然循環における高圧力側の圧力を安定に維持することができ、冷媒の自然循環を安定化させることができる。
【００６１】
これにより、冷媒自然循環方式の冷却システムにおける蒸発器２０Ｘ，２０Ｙの冷媒流量をバルブ制御しても、冷媒の自然循環を安定に維持することができると共に蒸発器表面の結露発生を防止できる。
【００６２】
なお、冷媒液体温度センサ４４の測定温度が所定温度に対して何度変動したら、コントローラ４６が制御駆動するかは、適宜設定することができるが、例えば変動温度を設定温度±１℃以内とすることが好ましい。以下に示す本発明の態様も同様である。
【００６３】
［本発明の第２の実施の形態］
図２は、電子機器の冷却システム１０の第２の実施の形態の全体構成を示す概念図であり、冷媒ガスを凝縮する装置として、循環ダクト型冷却塔を設けた場合である。
【００６４】
なお、第１の実施の形態と共通する部分には同符号を付すと共に、説明は省略する。
【００６５】
図２及び図３に示すように、冷却塔本体３０の取込口３０Ａ側の側面に連結孔３０Ｃが開口されると共に、排気口３０Ｂの一部と連結孔３０Ｃとが循環ダクト３８によって連結される。これにより、排気口３０Ｂから排気される温度上昇した排気外気Ｙの一部が循環ダクト３８を通って取込口３０Ａ近傍に循環されるので、排気外気Ｙと取込み外気Ｘとが混合される。この結果、送風ファン３６によって、熱交換コイル２８に送風される送風外気Ｚの外気温度が上昇する。
【００６６】
この場合、蒸発器２０Ｘ，２０Ｙから冷却塔２２に戻るガス配管２６は、循環ダクト３８の側壁を貫通し、循環ダクト３８内を通って熱交換コイル２８の入口に連結されることが好ましい。これにより、ガス配管２６の一部が循環ダクト３８内に収納されるので、循環ダクト３８を流れる排気外気Ｙと、ガス配管２６を流れる冷媒ガスとの間で熱交換が効率的に行われる。したがって、排気外気Ｙが熱交換コイル２８から奪う熱量を多くできるので、排気口３０Ｂから排気される排気外気Ｙよりも高い温度の排気外気Ｙを取込み外気Ｘに混合することができる。
【００６７】
また、循環ダクト３８の途中にはダンパー装置４０が設けられ、ダンパー装置４０の開度を調節（開度ゼロも含む）することにより、取込み外気Ｘに混合される排気外気Ｙの混合量（混合量ゼロも含む）が調整される。
【００６８】
更に、冷却塔２２には、熱交換コイル２８で凝縮される冷媒ガスの凝縮温度が所定温度になるように、ダンパー装置４０により循環ダクト３８を流れる排気外気Ｙの風量を制御するコントローラ４６が設けられる。ここで、所定温度とは、例えば、本発明の冷却システムにおいて、蒸発器２０Ｘ，２０Ｙと冷却塔２２との間を冷媒が安定して循環するのに必要な凝縮温度とすることができる。
【００６９】
そして、コントローラ４６は、熱交換コイル２８出口に設けられた冷媒液体温度センサ４４からの測定温度に基づいて、冷媒液体温度センサ４４の測定温度が所定温度になるようにダンパー装置４０の開度を制御する。
【００７０】
上記の如く構成された本発明の第２の実施の形態の作用について説明する。
【００７１】
なお、上述したように、取込み外気Ｘ、排気外気Ｙ、送風外気Ｚの３種類の外気が登場するが、以下のように使い分けることにする。すなわち、取込み外気Ｘは、取込口３０Ａから取り込まれたままの外気を言う。送風外気Ｚは、送風ファン３６で熱交換コイル２８に送風される外気を言い、取込み外気Ｘのみと、取込み外気Ｘと排気外気Ｙとの混合された外気との両方を含む。排気外気Ｙとは、送風外気Ｚが熱交換コイル２８に接触して熱交換した後の温度上昇した外気を言う。
【００７２】
冷却システム１０の運転開始前は、ダンパー装置４０の開度をゼロ（閉成状態）の状態にしておき、この状態で運転を開始する。すなわち、ガス配管２６によって蒸発器２０Ｘ，２０Ｙから冷却塔２２に戻る冷媒ガスは、冷却塔２２内の熱交換コイル２８を流れつつ、送風ファン３６によって取込口３０Ａから取り込まれた取込み外気Ｘと散水機３４からの散水によって冷却されて凝縮する。これにより、冷媒ガスは液化して冷媒液体となり、液配管２４を流れて蒸発器２０Ｘ，２０Ｙに供給される。一方、熱交換コイル２８に接触した送風外気Ｚは、冷媒ガスから熱を奪って温度上昇し、排気外気Ｙとなって排気口３０Ｂから排気される。
【００７３】
また、熱交換コイル２８で液化した冷媒液体は、熱交換コイル２８出口で冷媒液体温度センサ４４により測定され、測定温度がコントローラ４６に逐次送信される。コントローラ４６は、冷媒液体の測定温度が所定温度よりも低い場合には、ダンパー装置４０を開いて、温度上昇した排気外気Ｙの一部を循環ダクト３８を介して取込口３０Ａ近傍に循環して取込み外気Ｘに混合すると共に、ダンパー装置４０の開度制御により、冷媒液体温度センサ４４により測定される測定温度が所定温度になるように、循環ダクト３８を流れる排気外気Ｙの風量を制御する。
【００７４】
そして、冷媒液体温度センサ４４の測定温度が所定温度に対して変動している場合、コントローラ４６は、冷却塔２２に形成された循環ダクト３８のダンパー装置４０を制御して、冷媒液体温度センサ４４の測定温度が所定温度になるように熱交換コイル２８に送風する送風外気の温度を調整する。
【００７５】
このように、蒸発器２０Ｘ，２０Ｙ側でのバルブ制御に並行して、冷却塔２２側の凝縮温度が変動しないように制御することで、蒸発器２０Ｘ，２０Ｙ側の蒸発圧力の変動が抑制される。即ち、循環ダクト型冷却塔２２側の温度変動がなくなることで、冷媒の自然循環における高圧力側の圧力を安定に維持することができ、冷媒の自然循環を安定化させることができる。
【００７６】
これにより、冷媒自然循環方式の冷却システムにおける蒸発器２０Ｘ，２０Ｙの冷媒流量をバルブ制御しても、冷媒の自然循環を安定に維持することができると共に蒸発器表面の結露発生を防止できる。
【００７７】
［本発明の第３の実施の形態］
図４は、電子機器の冷却システム１０の第３の実施の形態の全体構成を示す概念図であり、冷媒ガスを凝縮する装置として第１及び第２の実施の形態における冷却塔２２を冷水型凝縮器４８に代えた場合である。
【００７８】
なお、第１及び第２の実施の形態と共通する部分には同符号を付すと共に、説明は省略する。
【００７９】
図４に示すように、冷水型凝縮器本体４９（ケーシング）内には、ガス配管２６及び液配管２４に連結される熱交換コイル２８と、図示しない冷水供給装置に連結された冷水供給コイル５０とが設けられる。そして、熱交換コイル２８を流れる冷媒ガスと冷水供給コイル５０を流れる冷水とが熱交換することにより、冷媒ガスが冷却されて凝縮し、冷媒液体に液化する。
【００８０】
また、熱交換コイル２８出口には、冷水型凝縮器４８で凝縮された冷媒の凝縮温度を測定する冷媒液体温度センサ４４が設けられると共に、冷水供給コイル５０の出口には冷水供給コイル５０を流れる冷水の流量を調整する冷水量調整バルブ５２が設けられる。
【００８１】
冷媒液体温度センサ４４で測定された冷媒温度はコントローラ４６に逐次に入力され、冷媒温度が所定温度に対して変動していないかがモニタリングされる。更に、コントローラ４６は、冷媒液体温度センサ４４の測定温度が、蒸発器２０Ｘ，２０Ｙ側のバルブ制御に起因する蒸発器２０Ｘ，２０Ｙの蒸発温度変動に連動して変動せずに所定温度に維持されるように、冷水型凝縮器４８に供給する冷水流量を冷水量調整バルブ５２によって制御する。
【００８２】
これにより、本発明の第３の実施の形態の場合も、冷媒自然循環方式の冷却システムにおける蒸発器２０Ｘ，２０Ｙの冷媒流量をバルブ制御しても、冷媒の自然循環を安定に維持することができると共に蒸発器表面の結露発生を防止できる。
【００８３】
なお、第１の実施の形態から第３の実施の形態では、冷却塔２２（循環ダクト型も含む）又は冷水型凝縮器４８の熱交換コイル２８出口に温度センサを配置したが、圧力センサ（図示せず）を配置し、コントローラ４６は、圧力センサの測定圧力が、蒸発器２０Ｘ，２０Ｙ側のバルブ制御に起因する蒸発器２０Ｘ，２０Ｙの蒸発温度変動に連動して変動せずに所定圧力に維持されるように制御するようにしてもよい。
【００８４】
ここで、所定圧力とは、例えば冷媒が安定に自然循環するために必要な凝縮圧力とすることができる。
【符号の説明】
【００８５】
１０…電子機器の冷却システム、１２Ｘ、１２Ｙ…サーバルーム、１３…床面、１４…サーバ、１５…冷却装置、１７…コントローラ、１８Ｘ、１８Ｙ…床下チャンバ、２０Ｘ、２０Ｙ…蒸発器、２２…凝縮器、２３Ｘ，２３Ｙ…温度センサ、２４…液配管、２４Ｘ、２４Ｙ…分岐管、２５Ｘ、２５Ｙ…流量調整バルブ、２６…ガス配管、２６Ｘ、２６Ｙ…分岐管、２８…熱交換コイル、３０…冷却塔本体、３２…連結手段、３４…散水機、３６…送風ファン、３６Ａ…送風量調整手段、３８…循環ダクト、４０…ダンパー装置、４２…制御機構、４４…冷媒液体温度センサ、４６…コントローラ、４８…冷水型凝縮器、５０…冷水供給コイル、５２…冷水量調整バルブ、Ｘ…取込み外気、Ｙ…排気外気、Ｚ…送風外気
【図１】
2011171499.tif 000003
【図２】
2011171499.tif 000004
【図３】
2011171499.tif 000005
【図４】
2011171499.tif 000006